(57)【要約】  プロセッサー（２）は、（ａ）プログラム（１２）の更新に使用する更新プログラムをダウンロードし、（ｂ）プログラム（１２）に従って、プログラム（１２）内の書換プログラム（２１）を不揮発性メモリー１内にコピーし、（ｃ）書換プログラム（２１）のコピー後、ブートプログラム（１１）により起動されるプログラムを、プログラム（１２）から、コピーされた書換プログラムへ変更して、再起動し、（ｄ）再起動後にブートプログラム（１１）に従って、コピーされた書換プログラムの実行を開始し、（ｅ）コピーされた書換プログラムに従って、更新プログラムで、不揮発性メモリー（１）内のプログラム（１２）を書き換える。
2015098811.tif 000002
【特許請求の範囲】
【請求項１】
プログラムに従って処理を実行するプロセッサーと、
更新対象の注目プログラムおよび起動時に実行されるブートプログラムを記憶している不揮発性メモリーとを備え、
前記注目プログラムは、前記注目プログラムの書き換えを行う書換プログラムを含み、
前記プロセッサーは、（ａ）前記注目プログラムの更新に使用する更新プログラムをダウンロードし、（ｂ）前記注目プログラムに従って、前記書換プログラムを前記不揮発性メモリー内にコピーし、（ｃ）前記書換プログラムのコピー後、前記ブートプログラムにより起動されるプログラムを前記注目プログラムから、コピーされた前記書換プログラムへ変更して、再起動し（ｄ）再起動後に前記ブートプログラムに従って、コピーされた前記書換プログラムの実行を開始し、（ｅ）コピーされた前記書換プログラムに従って、前記更新プログラムで、前記不揮発性メモリー内の前記注目プログラムを書き換えること、
を特徴とする電子機器。
【請求項２】
揮発性メモリーをさらに備え、
前記プロセッサーは、前記更新プログラムを格納可能なデータ記憶装置が前記不揮発性メモリーとは別に存在するか否かを判定し、前記データ記憶装置が前記不揮発性メモリーとは別に存在する場合、第１モードで前記注目プログラムを更新し、前記データ記憶装置が前記不揮発性メモリーとは別に存在しない場合、第２モードで前記注目プログラムを更新し、
前記第１モードでは、前記プロセッサーは、前記再起動の前に、前記注目プログラムに従って前記更新プログラムをダウンロードして前記データ記憶装置に格納し、前記再起動の後に、前記コピーされた前記書換プログラムに従って前記データ記憶装置から前記更新プログラムを読み出し、読み出した前記更新プログラムで、前記不揮発性メモリー内の前記注目プログラムを書き換え、
前記第２モードでは、前記プロセッサーは、前記再起動の後に、前記コピーされた前記書換プログラムに従って前記更新プログラムをダウンロードして前記揮発性メモリーに格納し、前記揮発性メモリーから前記更新プログラムを読み出し、読み出した前記更新プログラムで、前記不揮発性メモリー内の前記注目プログラムを書き換えること、
を特徴とする請求項１記載の電子機器。
【請求項３】
前記更新プログラムを格納可能なデータ記憶装置が前記不揮発性メモリーとは別に存在する場合、前記プロセッサーは、前記再起動の前に、前記注目プログラムに従って前記更新プログラムをダウンロードして前記データ記憶装置に格納し、前記再起動の後に、前記コピーされた前記書換プログラムに従って前記データ記憶装置から前記更新プログラムを読み出し、読み出した前記更新プログラムで、前記不揮発性メモリー内の前記注目プログラムを書き換えることを特徴とする請求項１記載の電子機器。
【請求項４】
揮発性メモリーをさらに備え、
前記更新プログラムを格納可能なデータ記憶装置が前記不揮発性メモリーとは別に存在しない場合、前記プロセッサーは、前記再起動の後に、前記コピーされた前記書換プログラムに従って前記更新プログラムをダウンロードして前記揮発性メモリーに格納し、前記揮発性メモリーから前記更新プログラムを読み出し、読み出した前記更新プログラムで、前記不揮発性メモリー内の前記注目プログラムを書き換えること、
を特徴とする請求項１記載の電子機器。
【請求項５】
前記更新プログラムで、前記不揮発性メモリー内の前記注目プログラムを書き換えた後、前記プロセッサーは、前記コピーされた前記書換プログラムに従って、前記ブートプログラムにより起動されるプログラムを、コピーされた前記書換プログラムから、前記更新プログラムで更新された前記注目プログラムへ戻して、再起動することを特徴とする請求項１記載の電子機器。
【発明の詳細な説明】
【技術分野】
【０００１】
本発明は、電子機器に関するものである。
【背景技術】
【０００２】
複写機などの組込機器を動作させるためのプログラムは、電源オフされても消去されない不揮発性メモリーに記録されており、バージョンアップにより書き換えが可能となっている。【０００３】
あるバージョンアップ方法では、ネットワーク上のサーバーから更新プログラムを複写機にダウンロードし、複写機内部の不揮発性メモリーを書き換えて再起動させることにより、リモート操作によるバージョンアップを行っている。【０００４】
しかしながら、例えば、リモート操作によるバージョンアップで不揮発性メモリーの書き換えを行っている最中に、そのことを知らないユーザーが誤って電源オフしたり、停電などで電源オフしてしまうことにより、パージョンアップが不完全に終了し、機器が動作不能な状態になってしまう恐れがある。そのため、バージョンアップ前のプログラムを別の領域に退避しておき、バージョンアップの途中で電源がオフされた場合には、バージョンアップ前のプログラムで動作できるようにする方法が提案されている（例えば特許文献１参照）。
【先行技術文献】
【特許文献】
【０００５】
【特許文献１】特開平１１−２６５２８２号公報
【発明の概要】
【発明が解決しようとする課題】
【０００６】
しかしながら、上述の方法では、サイズの大きいプログラムを更新する場合、バージョンアップ前のプログラムを退避させておく別の領域を不揮発性メモリー内に予め確保しておく必要があるため、不揮発性メモリーのサイズが大きくなってしまい、機器のコストが大きくなってしまう。【０００７】
また、最低限の不揮発性メモリーしか持たないローコストの機器の場合には、バージョンアップ前のプログラムを上述のように退避するための領域を不揮発性メモリーに確保できないため、上述の方法を採用することは困難である。【０００８】
本発明は、上記の問題に鑑みてなされたものであり、不揮発性メモリーにおいてプログラム更新のために確保しておく領域を小さくしつつ、電源オフでプログラム更新が中断した後の電源オン時にそのプログラム更新を再開できる電子機器を得ることを目的とする。
【課題を解決するための手段】
【０００９】
本発明に係る電子機器は、プログラムに従って処理を実行するプロセッサーと、更新対象の注目プログラムおよび起動時に実行されるブートプログラムを記憶している不揮発性メモリーとを備える。前記注目プログラムは、前記注目プログラムの書き換えを行う書換プログラムを含む。そして、前記プロセッサーは、（ａ）前記注目プログラムの更新に使用する更新プログラムをダウンロードし、（ｂ）前記注目プログラムに従って、前記書換プログラムを前記不揮発性メモリー内にコピーし、（ｃ）前記書換プログラムのコピー後、前記ブートプログラムにより起動されるプログラムを前記注目プログラムから、コピーされた前記書換プログラムへ変更して、再起動し（ｄ）再起動後に前記ブートプログラムに従って、コピーされた前記書換プログラムの実行を開始し、（ｅ）コピーされた前記書換プログラムに従って、前記更新プログラムで、前記不揮発性メモリー内の前記注目プログラムを書き換える。
【発明の効果】
【００１０】
本発明によれば、不揮発性メモリーにおいてプログラム更新のために確保しておく領域を小さくしつつ、電源オフでプログラム更新が中断した後の電源オン時にそのプログラム更新を再開できる電子機器が得られる。
【図面の簡単な説明】
【００１１】
【図１】図１は、本発明の実施の形態に係る電子機器の構成を示すブロック図である。
【図２】図２は、図１に示す電子機器におけるプログラム更新時の動作について説明するフローチャートである。
【図３】図３は、図２におけるストレージ利用更新処理（ステップＳ５）について説明するフローチャートである。
【図４】図４は、図２におけるストレージ利用更新処理（ステップＳ５）におけるデータの流れについて説明するブロック図である。
【図５】図５は、図２におけるストレージレス更新処理（ステップＳ６）について説明するフローチャートである。
【図６】図６は、図２におけるストレージレス更新処理（ステップＳ６）におけるデータの流れについて説明するブロック図である。
【発明を実施するための形態】
【００１２】
以下、図に基づいて本発明の実施の形態を説明する。
【００１３】
図１は、本発明の実施の形態に係る電子機器の構成を示すブロック図である。図１に示す電子機器は、複合機などの組込機器であって、電子機器の一種である。
【００１４】
図１に示す電子機器は、フラッシュメモリーなどの不揮発性メモリー１と、ＣＰＵ（Central Processing Unit）などのプロセッサー２と、揮発性メモリーの一種であるＲＡＭ（Random Access Memory）３と、ハードディスクドライブ、ＳＳＤ（Solid State Drive）などのデータ記憶装置４と、ネットワークインターフェイスなどの通信装置５とを備える。
【００１５】
不揮発性メモリー１は、ブートプログラム１１、および更新対象の注目プログラム１２（以下、単にプログラム１２という）を記憶している。ブートプログラム１１は、当該電子機器の起動時に最初に実行されるプログラムであって、他のプログラムを呼び出してそのプログラムの実行を開始させる。プログラム１２は、例えばファームウェアであり、当該電子機器内の図示せぬ内部装置を制御したり各種データ処理を実行するためのプログラムであって、不揮発性メモリー１の所定の記憶領域に格納されている。プログラム１２は、プログラム１２の書き換えを行う書換プログラム２１を含んでいる。ブートプログラム１１は、通常、その所定の記憶領域に記憶されているプログラムを呼び出す。
【００１６】
プロセッサー２は、不揮発性メモリー１に記憶されているプログラムに従って、そのプログラムに記述されている処理を実行する。
【００１７】
プロセッサー２は、（ａ）プログラム１２の更新に使用する更新プログラムを、通信装置５を使用してダウンロードし、（ｂ）プログラム１２に従って、書換プログラム２１を不揮発性メモリー１内の別の領域にコピーし（つまり、プログラム１２全体ではなく、その一部分である書換プログラム２１のみをコピーし）、（ｃ）書換プログラム２１のコピー後、ブートプログラム１１により起動されるプログラムをプログラム１２から、コピーされた書換プログラムへ変更して、再起動し（ｄ）再起動後にブートプログラム１１に従って、コピーされた書換プログラムの実行を開始し、（ｅ）コピーされた書換プログラムに従って、更新プログラムで、不揮発性メモリー１内のプログラム１２を書き換える。
【００１８】
また、不揮発性メモリー１内のプログラム１２を書き換えた後、プロセッサー２は、コピーされた書換プログラムに従って、ブートプログラム１１により起動されるプログラムを、コピーされた書換プログラムから、更新プログラムで更新されたプログラム１２へ戻して、再起動する。
【００１９】
通信装置５は、図示せぬネットワーク上のサーバーなどとのデータ通信を行う。通信装置５は、上述の更新プログラムのダウンロードなどに使用される。
【００２０】
次に、上記電子機器の動作について説明する。
【００２１】
図２は、図１に示す電子機器におけるプログラム更新時の動作について説明するフローチャートである。
【００２２】
プロセッサー２は、起動時にブートプログラム１１を実行する。そして、通常モードでは、プロセッサー２は、ブートプログラム１１に従って、プログラム１２の実行を開始する（ステップＳ１）。
【００２３】
そして、プロセッサー２は、プログラム１２の実行中に、プログラム１２の更新要求を受け付けると、更新処理を開始する（ステップＳ２）。この更新要求は、例えばネットワークを介して通信装置５により受信される。
【００２４】
更新処理では、まず、プロセッサー２は、プログラム１２に対応する更新プログラムを格納可能なデータ記憶装置を探し（ステップＳ３）、更新プログラムを格納可能なデータ記憶装置が不揮発性メモリー１とは別に存在するか否かを判定する（ステップＳ４）。なお、プログラム１２に対応する更新プログラムは、更新要求で指定されたり、所定のサーバーなどに問い合わせることで特定される。
【００２５】
図１におけるデータ記憶装置４のようなデータ記憶装置が全く存在しない場合、および図１におけるデータ記憶装置４のようなデータ記憶装置は存在するが残容量が少なく更新プログラムを格納できない場合には、更新プログラムを格納可能なデータ記憶装置が不揮発性メモリー１とは別に存在しないと判定される。
【００２６】
一方、図１におけるデータ記憶装置４のようなデータ記憶装置が存在し、残容量が更新プログラムの格納に十分である場合には、更新プログラムを格納可能なデータ記憶装置が不揮発性メモリー１とは別に存在すると判定される。
【００２７】
なお、このとき、更新プログラムのサイズが、更新要求で通知されたり、更新プログラムのダウンロード元であるサーバーなどに問い合わせて特定され、そのサイズとデータ記憶装置の残容量とが比較される。
【００２８】
そして、そのようなデータ記憶装置が不揮発性メモリー１とは別に存在する場合、プロセッサー２は、ストレージ利用更新処理（第１モードでの更新処理）を実行する（ステップＳ５）。一方、そのようなデータ記憶装置が不揮発性メモリー１とは別に存在しない場合、プロセッサー２は、ストレージレス更新処理（第２モードでの更新処理）を実行する（ステップＳ６）。
【００２９】
ここで、ストレージ利用更新処理（ステップＳ５）について説明する。
【００３０】
図３は、図２におけるストレージ利用更新処理（ステップＳ５）について説明するフローチャートである。図４は、図２におけるストレージ利用更新処理（ステップＳ５）におけるデータの流れについて説明するブロック図である。ここでは、データ記憶装置４が更新プログラム３１の格納に使用される。
【００３１】
ストレージ利用更新処理では、プロセッサー２は、まず、プログラム１２に従って、通信装置５を使用して、更新プログラム３１をダウンロードしてデータ記憶装置４に格納する（ステップＳ２１）。
【００３２】
次に、プロセッサー２は、プログラム１２に従って、書換プログラム２１を不揮発性メモリー１内の別の領域にコピーする（ステップＳ２２）。
【００３３】
そして、プロセッサー２は、書換プログラム２１のコピー後、ブートプログラム１１により起動されるプログラムを、プログラム１２から、コピーされた書換プログラム３２へ変更し（ステップＳ２３）、その後、再起動する（ステップＳ２４）。つまり、プロセッサー２は、ブートプログラム１１によりプログラム１２が起動される通常モードから、ブートプログラム１１により書換プログラム３２が起動される更新モードへ、動作モードを切り換えて、再起動する。
【００３４】
再起動によって、まず、ブートプログラム１１が実行される。そして、プロセッサー２は、ブートプログラム１１に従って、コピーされた書換プログラム３２の実行を開始する（ステップＳ２５）。
【００３５】
そして、プロセッサー２は、コピーされた書換プログラム３２に従って、更新プログラム３１をデータ記憶装置４から読み出し、その更新プログラムを不揮発性メモリー１内のプログラム１２に上書きして書き換える（ステップＳ２６）。
【００３６】
プログラム１２の書換が完了すると、プロセッサー２は、コピーされた書換プログラム３２に従って、データ記憶装置４に格納されている更新プログラム３１を削除する（ステップＳ２７）。
【００３７】
そして、プロセッサー２は、ブートプログラム１１により起動されるプログラムを、コピーされた書換プログラム３２からプログラム１２（つまり、書換後のプログラム１２）へ変更し（ステップＳ２８）、その後、再起動する（ステップＳ２９）。つまり、プロセッサー２は、動作モードを、更新モードから通常モードへ切り換えて、再起動する。
【００３８】
これにより、ステップＳ２９での再起動後は、ブートプログラム１１によって更新後のプログラム１２の実行が開始される。
【００３９】
ストレージ利用更新処理の場合、ステップＳ２３の完了前のある時点で電源オフが発生した場合、ステップＳ１から更新処理が再度実行され、ステップＳ２３の完了後のある時点で電源オフが発生した場合、ステップＳ２５から更新処理が再開される。このため、電源オフによって動作不能となることはない。
【００４０】
ここで、ストレージレス更新処理（ステップＳ６）について説明する。
【００４１】
図５は、図２におけるストレージレス更新処理（ステップＳ６）について説明するフローチャートである。図６は、図２におけるストレージレス更新処理（ステップＳ６）におけるデータの流れについて説明するブロック図である。
【００４２】
ストレージレス更新処理では、プロセッサー２は、まず、プログラム１２に従って、書換プログラム２１を不揮発性メモリー１内の別の領域にコピーする（ステップＳ４１）。
【００４３】
書換プログラム２１のコピー後、プロセッサー２は、ブートプログラム１１により起動されるプログラムをプログラム１２から、コピーされた書換プログラム３２へ変更し（ステップＳ４２）、その後、再起動する（ステップＳ４３）。つまり、プロセッサー２は、動作モードを、通常モードから更新モードへ切り換えて、再起動する。
【００４４】
再起動によって、まず、ブートプログラム１１が実行される。そして、プロセッサー２は、ブートプログラム１１に従って、コピーされた書換プログラム３２の実行を開始する（ステップＳ４４）。
【００４５】
次に、プロセッサー２は、コピーされた書換プログラム３２に従って、通信装置５を使用して、更新プログラム３１をダウンロードしてＲＡＭ３に格納する（ステップＳ４５）。
【００４６】
さらに、プロセッサー２は、コピーされた書換プログラム３２に従って、更新プログラム３１をＲＡＭ３から読み出し、その更新プログラム３１を不揮発性メモリー１内のプログラム１２に上書きして書き換える（ステップＳ４６）。
【００４７】
そして、プロセッサー２は、ブートプログラム１１により起動されるプログラムを、コピーされた書換プログラム３２からプログラム１２（つまり、書換後のプログラム１２）へ変更し（ステップＳ４７）、その後、再起動する（ステップＳ４８）。つまり、プロセッサー２は、動作モードを、更新モードから通常モードへ切り換えて、再起動する。
【００４８】
これにより、ステップＳ４８での再起動後は、ブートプログラム１１によって更新後のプログラム１２の実行が開始される。
【００４９】
ストレージレス更新処理の場合、ステップＳ４２の完了前のある時点で電源オフが発生した場合、ステップＳ１から更新処理が再度実行され、ステップＳ４２の完了後のある時点で電源オフが発生した場合、ステップＳ４４から更新処理が再開される。このため、電源オフによって動作不能となることはない。
【００５０】
以上のように、上記実施の形態によれば、プロセッサーは、（ａ）プログラム１２の更新に使用する更新プログラム３１をダウンロードし、（ｂ）プログラム１２に従って、プログラム１２内の書換プログラム２１を不揮発性メモリー１内にコピーし、（ｃ）書換プログラム２１のコピー後、ブートプログラム１１により起動されるプログラムを、プログラム１２から、コピーされた書換プログラム３２へ変更して、再起動し（ｄ）再起動後にブートプログラム１１に従って、コピーされた書換プログラム３２の実行を開始し、（ｅ）コピーされた書換プログラム３２に従って、更新プログラム３１で、不揮発性メモリー１内のプログラム１２を書き換える。
【００５１】
これにより、不揮発性メモリー１においてプログラム更新時に使用するために確保されている領域が小さくても（つまり、書換プログラム３２を書き込む領域が確保されていれば）、電源オフでプログラム更新が中断した後の電源オン時にそのプログラム更新を再開できる。
【００５２】
なお、上述の実施の形態は、例示および説明を目的として示したものであり、これがすべてではなく、発明をこの形態に限定するものではない。
【００５３】
例えば、上記実施の形態に係る電子機器に、更新プログラム３１の格納に使用可能なデータ記憶装置が存在するか否かが予め（例えば製造時に）分かっている場合には、ステップＳ３，Ｓ４の処理を省略し、ストレージ利用更新処理（ステップＳ５）およびストレージレス更新処理（ステップＳ６）のいずれか一方のみを実行するようにしてもよい。
【００５４】
また、上記実施の形態において、プロセッサー２が、プログラム１２に従って、ストレージ利用更新処理（ステップＳ５）およびストレージレス更新処理（ステップＳ６）のどちらが選択されたかを示すデータを不揮発性メモリー１、ＲＡＭ３などに格納しておき、プロセッサー２は、書換プログラム３２に従って、そのデータを参照して、現時点で選択されているストレージ利用更新処理（ステップＳ５）またはストレージレス更新処理（ステップＳ６）を特定し、その特定した更新処理において実行すべき処理を実行するようにしてもよい。あるいは、プロセッサー２が、ブートプログラム１１に従って、書換プログラム３２を呼び出す際に、そのデータを引数として書換プログラム３２に提供するようにしてもよい。あるいは、ストレージ利用更新処理（ステップＳ５）とストレージレス更新処理（ステップＳ６）とで異なる書換プログラム２１，３２を使用するようにしてもよい。
【００５５】
また、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が追加請求項に含まれることを意図している。
【産業上の利用可能性】
【００５６】
本発明は、例えば、組込機器におけるプログラムの更新に適用可能である。
【図１】
2015098811.tif 000003
【図２】
2015098811.tif 000004
【図３】
2015098811.tif 000005
【図４】
2015098811.tif 000006
【図５】
2015098811.tif 000007
【図６】
2015098811.tif 000008
【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
プログラムに従って処理を実行するプロセッサーと、
更新対象の注目プログラムおよび起動時に実行されるブートプログラムを記憶している不揮発性メモリーと、
揮発性メモリーとを備え、
前記注目プログラムは、前記注目プログラムの書き換えを行う書換プログラムを含み、
前記プロセッサーは、（ａ）前記注目プログラムの更新に使用する更新プログラムをダウンロードし、（ｂ）前記注目プログラムに従って、前記書換プログラムを前記不揮発性メモリー内にコピーし、（ｃ）前記書換プログラムのコピー後、前記ブートプログラムにより起動されるプログラムを前記注目プログラムから、コピーされた前記書換プログラムへ変更して、再起動し（ｄ）再起動後に前記ブートプログラムに従って、コピーされた前記書換プログラムの実行を開始し、（ｅ）コピーされた前記書換プログラムに従って、前記更新プログラムで、前記不揮発性メモリー内の前記注目プログラムを書き換え、
前記プロセッサーは、前記更新プログラムを格納可能なデータ記憶装置が前記不揮発性メモリーとは別に存在するか否かを判定し、前記データ記憶装置が前記不揮発性メモリーとは別に存在する場合、第１モードで前記注目プログラムを更新し、前記データ記憶装置が前記不揮発性メモリーとは別に存在しない場合、第２モードで前記注目プログラムを更新し、
前記第１モードでは、前記プロセッサーは、前記再起動の前に、前記注目プログラムに従って前記更新プログラムをダウンロードして前記データ記憶装置に格納し、前記再起動の後に、前記コピーされた前記書換プログラムに従って前記データ記憶装置から前記更新プログラムを読み出し、読み出した前記更新プログラムで、前記不揮発性メモリー内の前記注目プログラムを書き換え、
前記第２モードでは、前記プロセッサーは、前記再起動の後に、前記コピーされた前記書換プログラムに従って前記更新プログラムをダウンロードして前記揮発性メモリーに格納し、前記揮発性メモリーから前記更新プログラムを読み出し、読み出した前記更新プログラムで、前記不揮発性メモリー内の前記注目プログラムを書き換えること、
を特徴とする電子機器。
【請求項２】
プログラムに従って処理を実行するプロセッサーと、
更新対象の注目プログラムおよび起動時に実行されるブートプログラムを記憶している不揮発性メモリーと、
揮発性メモリーとを備え、
前記注目プログラムは、前記注目プログラムの書き換えを行う書換プログラムを含み、
前記プロセッサーは、（ａ）前記注目プログラムの更新に使用する更新プログラムをダウンロードし、（ｂ）前記注目プログラムに従って、前記書換プログラムを前記不揮発性メモリー内にコピーし、（ｃ）前記書換プログラムのコピー後、前記ブートプログラムにより起動されるプログラムを前記注目プログラムから、コピーされた前記書換プログラムへ変更して、再起動し（ｄ）再起動後に前記ブートプログラムに従って、コピーされた前記書換プログラムの実行を開始し、（ｅ）コピーされた前記書換プログラムに従って、前記更新プログラムで、前記不揮発性メモリー内の前記注目プログラムを書き換え、
前記更新プログラムを格納可能なデータ記憶装置が前記不揮発性メモリーとは別に存在しない場合、前記プロセッサーは、前記再起動の後に、前記コピーされた前記書換プログラムに従って前記更新プログラムをダウンロードして前記揮発性メモリーに格納し、前記揮発性メモリーから前記更新プログラムを読み出し、読み出した前記更新プログラムで、前記不揮発性メモリー内の前記注目プログラムを書き換えること、
を特徴とする電子機器。
【請求項３】
前記更新プログラムで、前記不揮発性メモリー内の前記注目プログラムを書き換えた後、前記プロセッサーは、前記コピーされた前記書換プログラムに従って、前記ブートプログラムにより起動されるプログラムを、コピーされた前記書換プログラムから、前記更新プログラムで更新された前記注目プログラムへ戻して、再起動することを特徴とする請求項１または請求項２記載の電子機器。
【手続補正２】
【補正対象書類名】明細書
【補正対象項目名】０００９
【補正方法】変更
【補正の内容】
【０００９】
本発明に係る電子機器は、プログラムに従って処理を実行するプロセッサーと、更新対象の注目プログラムおよび起動時に実行されるブートプログラムを記憶している不揮発性メモリーと、揮発性メモリーとを備える。前記注目プログラムは、前記注目プログラムの書き換えを行う書換プログラムを含む。そして、前記プロセッサーは、（ａ）前記注目プログラムの更新に使用する更新プログラムをダウンロードし、（ｂ）前記注目プログラムに従って、前記書換プログラムを前記不揮発性メモリー内にコピーし、（ｃ）前記書換プログラムのコピー後、前記ブートプログラムにより起動されるプログラムを前記注目プログラムから、コピーされた前記書換プログラムへ変更して、再起動し（ｄ）再起動後に前記ブートプログラムに従って、コピーされた前記書換プログラムの実行を開始し、（ｅ）コピーされた前記書換プログラムに従って、前記更新プログラムで、前記不揮発性メモリー内の前記注目プログラムを書き換える。さらに、本発明に係る電子機器では、（ａ）前記プロセッサーは、前記更新プログラムを格納可能なデータ記憶装置が前記不揮発性メモリーとは別に存在するか否かを判定し、前記データ記憶装置が前記不揮発性メモリーとは別に存在する場合、第１モードで前記注目プログラムを更新し、前記データ記憶装置が前記不揮発性メモリーとは別に存在しない場合、第２モードで前記注目プログラムを更新し、前記第１モードでは、前記プロセッサーは、前記再起動の前に、前記注目プログラムに従って前記更新プログラムをダウンロードして前記データ記憶装置に格納し、前記再起動の後に、前記コピーされた前記書換プログラムに従って前記データ記憶装置から前記更新プログラムを読み出し、読み出した前記更新プログラムで、前記不揮発性メモリー内の前記注目プログラムを書き換え、前記第２モードでは、前記プロセッサーは、前記再起動の後に、前記コピーされた前記書換プログラムに従って前記更新プログラムをダウンロードして前記揮発性メモリーに格納し、前記揮発性メモリーから前記更新プログラムを読み出し、読み出した前記更新プログラムで、前記不揮発性メモリー内の前記注目プログラムを書き換え、あるいは、（ｂ）前記更新プログラムを格納可能なデータ記憶装置が前記不揮発性メモリーとは別に存在しない場合、前記プロセッサーは、前記再起動の後に、前記コピーされた前記書換プログラムに従って前記更新プログラムをダウンロードして前記揮発性メモリーに格納し、前記揮発性メモリーから前記更新プログラムを読み出し、読み出した前記更新プログラムで、前記不揮発性メモリー内の前記注目プログラムを書き換える。
【国際調査報告】
2015098811.tif 000009
2015098811.tif 000010
2015098811.tif 000011
2015098811.tif 000012